(57)【特許請求の範囲】
【請求項１】
傾斜面を有し、該傾斜面に栽培ユニットが交換設置可能である立体栽培施設の、該栽培ユニットはもみ殻ともみ殻くん炭の混合培地に、人工ゼオライト、貝化石、石英斑岩から選ばれる改質剤を混ぜてなる培地で満たし、且つ側面下方に排水口を設けた育苗ポットを前記栽培ユニットの上部の穴に着脱可能になしてなり、
前記育苗ポットを上部に植え込んだ前記栽培ユニットを傾斜面に設置した前記立体栽培施設の、上部の栽培ユニットに、水溶液の循環・灌水手段により肥料成分を含む水溶液を灌水し、且つ水溶液を下部の栽培ユニットに順次伝わらせて植物を栽培し、収穫することを特徴とする、
立体栽培施設を用いた栽培方法。
【請求項２】
前記栽培ユニットが箱状であり、上部に穴が形成された覆い蓋が有するものであることを特徴とする、請求項１記載の栽培方法。
【請求項３】
前記栽培ユニットが、上部に穴が形成された筒状体でなることを特徴とする、請求項１記載の栽培方法。
【発明の詳細な説明】
【技術分野】
【０００１】  本発明は、もみ殻ともみ殻くん炭の混合した培地を有し、過湿にならず、土壌菌による害も防止できる栽培方法に関する。
【背景技術】
【０００２】  従来、耕作地や温室の栽培は、種を蒔き又は、苗を植えて肥料や水分、液肥をやりながら数か月かけて収穫するのが一般である。耕作地や温室の栽培は、野菜にもよるが耕作地の使用回数が限られて、年間収穫量も限られる。また、耕作機械が必要になる。【０００３】  特許文献１にしめされるようにもみ殻及びもみ殻くん炭、保水材を入れた育苗用ポットが提案されている。しかし、このポットは、苗木を植え、その場所に固定させるポットであり、底に液肥を貯水することができない。前記のポット植えの苗木は、根が張る前に雨水が少ないと枯れ、土壌菌に侵される。
【先行技術文献】
【特許文献】
【０００４】
【特許文献１】  特公平７−２８６１６号公報
【発明の概要】
【発明が解決しようとする課題】
【０００５】  本発明は、従来のように栽培の使用回数が限られたり、苗類が枯れたり、菌に侵されたりすることのない栽培方法を実現することを目的とする。
【課題を解決するための手段】
【０００６】  本発明栽培方法は、傾斜面を有し、該傾斜面に栽培ユニットが交換設置可能である立体栽培施設の、該栽培ユニットは、もみ殻ともみ殻くん炭の混合培地に、人工ゼオライト、貝化石、石英斑岩から選ばれる改質剤を混ぜてなる培地を満たし、且つ側面下方に排水口を設けた育苗ポットを前記栽培ユニットの上部の穴に着脱可能になされており、
前記育苗ポットを上部に植え込んだ前記栽培ユニットを傾斜面に設置した前記立体栽培施設の、上部の栽培ユニットに、水溶液の循環・灌水手段により肥料成分を含む水溶液を灌水し、且つ水溶液を下部の栽培ユニットに順次伝わらせて植物を栽培し、収穫することを特徴とする、
立体栽培施設を用いた栽培方法。【０００７】  前記の栽培方法は、下方に保水シートを敷設して改質材に接触させた肥料成分を含む水溶液を貯水する構造にすることができる。【０００８】前記栽培ユニットが箱状であり、上部に穴が形成された覆い蓋が有するものであることもできる。
前記の培地の上方に間隔をおいて苗を植え付け可能な覆い蓋が設けられているもとすることができる。【０００９】  前記の栽培方法をユニット化し、平坦面、傾斜面に前記栽培ユニットが敷設され、肥料成分を含む水溶液を受ける貯水溝が併設することにより、栽培施設が構築できる。【００１０】  前記の培地と改質剤を使用して、底に肥料成分を含む水溶液を貯水する、植木鉢で、側面下方に排水口をもうけて、流れ出た水溶液を受ける貯水溝が併設することにより、水溶液の循環・灌水が構築できる。
【発明の効果】
【００１１】  本発明栽培方法は、培地のもみ殻ともみ殻くん炭が主体で、これらは無償または、安価で入手が簡単である。【００１２】  前記培地は、土壌の使用を全く使用しないか、使用量を低減することにより、土壌菌や土壌害虫の被害を抑え、農薬や耕作機械の費用も負担が軽減される。土壌の使用を低減することで、耕作地に限らず、平坦地、傾斜地で栽培することが可能となる。【００１３】  本発明栽培方法のユニット化は、栽培ユニットごと植物の生育に合わせて移動する事が出来て、栽培施設で、ユニットの使用回数が数多く使用でき収穫量も増大する。【００１４】  前記の改質剤に接触した肥料成分を含む水溶液は、灌水手段により灌水され、余剰の前記水溶液を貯水溝に集め循環させて、更に灌水する。従って、水溶液は垂れ流しがなく、農業用水や農薬の使用が著しく低減でき、それに要する費用も軽減され、環境保全農業につながる。更には、本発明栽培方法は、水の少ない地域で栽培に有効なものとなる。
【図面の簡単な説明】
【００１５】
【図１】  本発明栽培方法の一例を示す断面図である。
【図２】  本発明栽培方法の植木鉢の例を示す断面図である。
【図３】  本発明栽培方法のユニットを示す一部切欠斜視図である。
【図４】  本発明栽培方法により、ユニットの組み立てられた栽培施設の一例を示す一部切欠斜視図である。
【図５】  本発明栽培方法の別のユニットの例を示す断面図である。
【図６】  本発明栽培方法により、別のユニットの組み立てられた栽培施設の一例を示す斜視図である。
【図７】  本発明栽培方法で使用する植木鉢と育苗用ポットの正面図である。
【図８】  本発明栽培方法の水溶液が循環をする配管フロー図である。
【発明を実施するための形態】
【００１６】  図１は、平坦地に堰６を畝の幅に作り、防水シート４を敷き、水溶液３を貯水し、その上にもみ殻ともみ殻くん炭の複合培地１と改質材２を混ぜてなる培地を盛り上げ敷きつめる。その上に覆い蓋９を敷き間隔をおいたてあけた穴に本発明栽培方法のポットに苗を植えた、ポット苗８を植え込んでいく。
【００１７】  肥料成分を含む水溶液３は、灌水チューブ７でもみ殻ともみ殻くん炭の複合培地１の上に灌水される。灌水した水溶液３は、防水シート４で改質材２に接触した水溶液３を堰６の高さまで保水できる。
【００１８】  改質材２に接触した余剰な水溶液３は、改質剤２を混入した貯水溝５に貯水されポンプ１８で循環チューブ７を通って、培地１に灌水チューブ７で灌水される。
【００１９】  図２の植木鉢１１は、底に排水の穴がなく、側面の下方に排水口１２、１２が設けられている。植木鉢１１は、混合培地１と改質剤２を混ぜてなる培地で満たす。苗やポット苗８を植えられた植木鉢１１は、鉢の両方の脇に堰１０を造り、堰の上方に防水シート４を敷き詰めた上に多数並べられた植木鉢１１に灌水手段により灌水し、改質剤２に接触した余剰の水溶液３を貯水して、ポンプ１８（図示せず）で循環・灌水される。
【００２０】  図３は、栽培方法をユニット化にした例である。栽培ユニット１３の下にハニカム保水シート１４を敷きその上に混合培地１と改質剤２を混ぜてなる培地を栽培ユニット１３に満たし、栽培ユニット１３に覆い蓋９をして間隔をおいてあけた穴に着脱可能なポット苗８を植えていく。
【００２１】  図４は、図３の栽培ユニット１３を立体栽培施設２０の上面と傾斜面に多数敷設した例である。栽培施設２０上部から栽培ユニット１３に水溶液３を灌水チューブ７で、灌水する。余剰分の水溶液３は、傾斜面の栽培ユニット１３に順次伝わって下部に設置された貯水溝５に溜まり、ポンプ１８で循環チューブ１９を通して、灌水チューブ７で灌水される。
【００２２】  立体栽培施設２０は、枠組２１の上部に断熱材２４、防水シート４、防根シート２５の順で敷きつめる。断熱材２４と防水シート４の間に暖冷房チューブ２６を通す。防根シート２５の上部（栽培施設２０の平坦面及び傾斜面）に栽培ユニット１３を多数敷設する。
【００２３】  図５は、栽培方法をユニット化にした別の例である。栽培ユニット１５の筒状体下部に蓋１６を筒状態の両端に設置して、混合培地１を筒状体に満たし、水溶液を貯水する。混合培地１が崩れ落ちないように筒状体の両端は、ネット１７で覆いかぶす。筒状態の上部に、間隔をおいてあけた穴に着脱可能なポット苗８を植えていく。栽培ユニット１５の筒状体上部は、図３における覆い蓋９の役割を兼ねる。
【００２４】  図６は、図５の筒状体で構成した栽培ユニット１５を立体栽培施設２２の上面と傾斜面に設けられたフック２３に多数吊り下げた例である。立体栽培施設２２上部から栽培ユニット１５に灌水チューブ７で灌水する。余剰の水溶液は、傾斜面に設置された栽培ユニット１５に順次伝わって下部に設置された貯水溝５に溜まり、ポンプ１８で循環チューブ１９を通して、灌水チューブ７で灌水される。
【００２５】  図６の栽培施設２２は、フック２３で栽培ユニット１５を吊るすことで、栽培ユニット１５の間に間隔ができて、空気の流れが良くなり植物にストレスを与えない。長期の栽培や枝、茎が垂れ下がる植物に適する。
【００２６】  図７は、本発明栽培方法で使用する植木鉢１１と育苗ポット２７である。底に排水用の穴がなく、水溶液３を貯水する。植木鉢は、側面下方に排水口１２，１２を設けて余剰の水溶液３を排水する。育苗ポットは、側面下方にスリッター２８，２８を横や縦（図示せず）方向に入れて、余剰の水溶液３の排水を良くし、植物の根を各方向の培地に伸びやすくする。
【００２７】  図８は、肥料成分を含む水溶液３の設備配管フロー図である。水源から水をタンク２９溜めて、肥料成分を混入する、水溶液３をポンプ１８で、もみ殻ともみ殻くん炭の複合培地１に灌水チューブ７で灌水する。余剰な水溶液を貯水溝５に集めて、ポンプ１８により、タンク３０に集め、肥料成分の調整をして、循環チューブ１９を通してタンク２９に戻し、循環が完了する。
【００２８】  培地１は、もみ殻の撥水性、もみ殻くん炭の多孔質両方の性質を利用して、乾燥気味を好む植物は、もみ殻を多く、水分を多く必要とする植物は、もみ殻くん炭を多く混ぜあわす。もみ殻ともみ殻くん炭の複合培地１は、固形物で、両方の間に無数の隙間に空気層ができ、植物の根が空気と接触することによりと根腐れが起きない。
【００２９】  本発明栽培方法の培地１は、肥料、ミネラル成分をほとんど含まない。不足分の肥料、ミネラルを適度に補うことで、栽培の簡素化できる。培地１は、もみ殻ともみ殻くん炭の比率を１対１から１．５対０．５の割合とし、選ばれる改質材２は、もみ殻ともみ殻くん炭からなる複合培地の混合培地１の比率を１に対して３パーセント〜５パーセントを混ぜ合わす。
【００３０】  改質材２は、人工ゼオライト、貝化石、石英斑岩を主成分とする、改質材は、成分にリン、カルシュウム、アルミニューム、マグネシューム、石灰、苦土、カリウム、鉄、亜鉛、銅、ケイ酸など植物に必要なミネラルを混合することができる。
【００３１】  改質剤２は、イオン交換資材でもあり、人工ゼオライトは、４配位アルミニュームに基く負電位を多数持っているので、最も重要な特性として、各種イオン可逆的に交換できることがあげられる。
【００３２】  肥料に含まれる塩化アンモニウムなどの塩基をとかした水溶液３に、改質剤２などある種の高分子物質を添加して攪拌放置すると、溶旅中のアンモニウムが減少し、これと並行してナトリウムとかマグネシュームイオンなどの陽イオンが水溶液３中に現れてくることがある。植物は、改質材２で調整された、水溶液３を植物の根が吸収し、成長が促進される。
【００３３】  苗は、プラグ苗をつくり、育苗ポット２７に移植し、ポットで苗を育て、図１、図３、の覆い蓋９、の穴にポット苗８のまま植え込む。図２は、苗やポット苗８を植え、図６は、の穴にポット苗８のまま植え込む。
【００３４】  図３にポット苗８を植え込んだ栽培ユニット１３を平坦地、傾斜地や立体の栽培施設２０に多数敷設して栽培をする。収穫後、次のポット苗８を植え込んだ栽培ユニット１３に替えることで、耕作地の利用回数が多くなり収穫も格段に増大する。栽培ユニット１５を栽培施設２２の栽培も同様である。
【００３５】  本発明栽培方法は、栽培ユニット１３、１５を使用することにより耕作地以外の屋上、屋根、壁面での栽培や植物用電球が設置されている屋内でも栽培が容易に行える。
【符号の説明】
【００３６】１      もみ殻ともみ殻くん炭の混合培地
２      改質剤  人工ゼオライト、貝化石、石英斑岩
３      肥料成分を含む水溶液
４      防水シート
５      貯水溝
６      堰
７      灌水チューブ
８      ポット苗
９      覆い蓋
１０    堰
１１    植木鉢
１２    排水口
１３    栽培ユニット
１４    ハニカム保水シート
１５    栽培ユニット
１６    蓋
１７    ネット
１８    ポンプ
１９    循環チューブ
２０    栽培施設
２１    枠組
２２    栽培施設
２３    フック
２４    断熱材
２５    防根シート
２６    暖冷房チューブ
２７    育苗ポット
２８    スリッター
２９    タンク
３０    タンク
【図１】
0005638992.tif 000002
【図２】
0005638992.tif 000003
【図３】
0005638992.tif 000004
【図４】
0005638992.tif 000005
【図５】
0005638992.tif 000006
【図６】
0005638992.tif 000007
【図７】
0005638992.tif 000008
【図８】
0005638992.tif 000009